(57)【要約】【課題】手浴を行う際に生じる、手首１７や肘、肩などにかかる負担を軽減し、また、お湯が冷めにくくなるよう蓋を設け、使用時に容易に閉まるようにすることもできる手浴桶を提供する。【解決手段】手首１７の力を抜き、指先１６を下に向け伸展できるよう手浴桶５０の深さを考慮し、指先１６から腕を挿入させる左手用開口部５および右手用開口部５ａを設け、手首１７、腕を支える左手用手首支え部６および右手用手首支え部６ａを具備することで肩への負担を軽減する。本体に被さる蓋２を具備することで湯温を維持し、蓋支え板４や支え板はめ込み部３、ステー２２等の保持機構により蓋２を支え、使用時に保持機構を解除して蓋２を閉じることができる。【選択図】図２５
2011056241.tif 000002
【特許請求の範囲】
【請求項１】
指先を下に向け、手指を伸展させた状態で指先から手首まで十分につかる深さを有する、手浴用のお湯を入れる手浴桶であって、前記手浴桶が、該手浴桶の面に設けられた指先から手首まで挿入することができる程度の大きさの開口部と、前記開口部に挿入された手首及び腕を支える手首支え部とを具備している手浴桶。
【請求項２】
前記手浴桶が、手浴桶本体と、前記手浴桶本体に開閉可能に取り付けられた蓋とから構成され、前記開口部が、前記手浴桶本体、もしくは手浴桶本体と蓋との間に設けられており、手首支え部が、前記手浴桶本体に備えられている、請求項１に記載の手浴桶。
【請求項３】
前記蓋が、使用開始時に開き、使用中及び不使用時には閉じるよう開閉可能に構成され、開いた状態で蓋を保持する保持機構をさらに設け、
使用時に手首を挿入することによって前記保持機構を解除して蓋が閉じるよう構成        されている、請求項２に記載の手浴桶。
【請求項４】
前記開口部に、ゴム挿通部をさらに設けている、請求項１から請求項３に記載の手浴桶。
【請求項５】
前記手首支え部が内部に空洞を有し、該空洞内に手浴桶内の湯が入るようつながっている、請求項１から請求項４のいずれかに記載の手浴桶。
【発明の詳細な説明】
【技術分野】
【０００１】
本発明は、桶にお湯をはり、手を挿入して暖める手湯に使うための桶に関するものである。
【背景技術】
【０００２】
手浴（手湯）を行うのに、従来では洗面器を用いることが多く、手首を曲げたままの姿勢を維持し、手首や肘、肩も硬直しやすく、洗面器の開口部が広いため、手浴をする際のお湯が冷めやすかった。そのため、肩こりの緩和などを目的としているが、十分な効果が得られにくく、冬等、寒い時の利用が多いため、お湯が冷めやすい。
背景技術として足湯洗面器の出願（特許文献１参照。）がある。
【０００３】
手浴用の出願は温浴容器（特許文献２参照。）や、手浴ベースン（特許文献３参照。）等がある。
特許文献２の温浴用器は、実用新案の説明として、このように記載されている。
本案は患者の体を楽にして温浴を行い得るようにした温浴用器の構造に関する。
これは、従来バケツなどで行っていた温浴から、患者の体を楽にして（足などの屈折困難な場合も）温浴するための物であり、比較的広い患部を温浴するものである。また、おそらく患者本人による入浴というより、看護士などが容易に入浴させることができるよう考案されたものとおもわれる。
しかし、桶状部に腕や足などで加重された際の安定感に欠けることで浴室以外の使用が難しいことや、開口部が広いため保温効果は期待できない。その他、洗うことを目的とする温浴容器と、首や、肩こりの緩和を目的とする、今回の発明である手浴桶とはことなる部分がある。
【０００４】
特許文献３の手浴ベースンは、請求項１として、このように記載されている。
手浴対象者の手を浸漬させて洗浄するための浴湯を貯留する浴槽空間を有する手浴ベースンにおいて、手を縦向き姿勢でかつ手指を伸展位にした状態で手関節部まで収容可能な深さを有する前記浴槽空間と、その浴槽空間の底部を閉塞する底板と、その底板に連設され前記浴槽空間の周囲を包囲する周壁板と、その浴槽空間の上方に開口形成されその浴槽空間内へ手を挿入するための挿入口とが設けられる容器部材と、その容器部材の周壁板における一部の上端部に一体的に連設形成され、その周壁板の上端部から更に上方へ略舌片状に延設され、その容器部材の横幅方向に幅広の板状に形成される押さえ部材とを備えていることを特徴とする手浴ベースン。
【０００５】
この手浴ベースンは、看護士や介護士が、手浴対象者が臥床状態にある患者などの手を浴湯で洗浄するものである。これは、手浴対象者が横向きで寝ている状態で、ベッドの上などで使用するための物であり、椅子に座った状態や、その他の座った状態で入浴するための桶ではない。
目的以外の使用も可能だが、効率的とは言えず、寧ろ洗面器を用いた方が効率的か、もしくは、ほぼ大差はないように思われる。また、開口部が広いため、保温効果は期待できない。
これを寝姿勢以外で使用した場合、腕や手首を支える部分は特に設けておらず、長時間の入浴は難しい。その他、洗うことを目的とする手浴ベースンと、首や、肩こりの緩和を目的とする、今回の発明である手浴桶とはことなる部分がある。
【０００６】
従来用いられる洗面器だと、図１１のように掌を底面につけるようにして手浴を行なうため、手首を上に反り上げ、力を入れた状態のままで手浴を行うことになる。また手首だけでなく、洗面器では十分な幅を持ち合わせていることも少なく、幅はあるが、洗面器内部から外周淵部分にかけて浅くなっているものが多い為、図１０のような両手を重ねた状態になり、肘を伸ばし、肩も上がりやすく、力が入りやすくなってしまう。この状態を改善する為に本発明の手浴桶を提案したものである。
【先行技術文献】
【特許文献】
【０００７】
【特許文献１】実用新案登録第３１４８４７１号
【特許文献２】実開昭３６−１５９５公報
【特許文献３】特開２００９−１８３４３８号公報
【発明の概要】
【発明が解決しようとする課題】
【０００８】
手浴をする際、洗面器にお湯をはり、手をつけると、まず手首を上に反らした状態での維持が必要になり、両肘を内側によせ、肩にも力が入りやすい、洗面器は開口部が広いため、手浴をする際のお湯が冷めやすく、そのため、肩や、首こりの緩和などを目的としているが、十分な効果が得られにくく、冬等、寒い時の利用が多いため、お湯が冷めやすい。上記問題点を解決し、洗面器よりお湯が冷めにくく、安定した姿勢で手浴のできる手浴桶を提供することを目的とするものである。
【課題を解決するための手段】
【０００９】
上記課題を解決するために請求項１の手浴桶は、指先を下に向け、手指を伸展させた状態で指先から手首まで十分につかる深さを有する、手浴用のお湯を入れる手浴桶であって、前記手浴桶が、該手浴桶の面に設けられた指先から手首まで挿入することができる程度の大きさの開口部と、前記開口部に挿入された手首及び腕を支える手首支え部とを具備している手浴桶である。
【００１０】
この請求項１の手浴桶によれば、手浴を目的とするお湯を入れる手浴桶は、その容器の形状に関わらず、隣同士の指を接触させるように揃え、指先から肘までをほぼ水平に保った状態で、容器に指先から手首まで挿入することができる程度の大きさの穴（洗面器の開口部のように大きな物ではなく、大体の大人の手が挿入できない程小さくない開口部。また、手浴桶の面に部分的に設ける、例えば上面に開口部を設けた場合、上面全てが開口部ではなく、上面の部分的に、手が通る程度の開口部を設けたものである。）があり、その穴へと挿入された手首、腕を支えるために、穴の下部に手首支え部を具備した容器であることがわかる。
【００１１】
この手浴桶は保温効果も重要なため、密閉容器であることが好ましく、開口部には手を挿入して、ある程度塞いで使用するため、ほぼ密閉となり温度を維持しやすい。また、開口部や、左手用開口部、右手用開口部に、シリコーン等、伸縮性のあるやわらかいゴム素材で、薄いドーナツ状のようにしてゴム挿通部（図２３参照。）を備えることで、開口部の隙間を塞ぎ、お湯の温度を維持しやすくすることができる。
また、蓋が接続されたタイプには蓋側に三日月形に形成したゴム挿通部を備えると、効率よく保温効果を付随することができる。
その他、前記手首支え部で腕を支え、指先を下に向け、手指を伸展させた状態でも指先から手首まで十分につかる深さを有することにより、課題である手首を上に反り上げた状態を回避し、力を抜き指先を下に向けた楽な姿勢での手浴を可能とするものである。
【００１２】
この手浴桶に、いずれかの開口部よりお湯を入れ、手を挿入するための開口部へ片手、もしくは両手を挿入し、手首支え部で腕を支え、浴槽空間部に満たされたお湯で入浴を行うものである。手浴桶を置く場所は、床や、テーブルの上など、その他置き易い所であれば場所は選ばない。
【００１３】
また、請求項１の手浴桶は、片手のみの開口部、片手のみの手首支え部を備えた手浴桶（右手用と左手用との二つセットで使用する。図２２参照。）や、一つの容器に両手用の開口部および両手用の手首支え部を設けた手浴桶、その他、二名以上で同時に入浴をすることができる、人数分の両手用の開口部と手首支え部を設けた手浴桶なども含むものである。片手用の手浴桶の利点は、片方ずつに分かれた本体を、それぞれ置き易い位置に置くことができるものだが、デメリットとしては使用後の手入れをそれぞれ行わなければならないことが上げられる。
【００１４】
その他、請求項１の手浴桶は、開口部の数を限定するものではない為、開閉可能な蓋があるもの（図８、図２０参照。）や、手を挿入するための開口部以外の開口部がなく、手浴桶の上部が同素材等でおおわれているもの（図１参照。）や、手浴桶の上部が洗面器などのように開き、開口部になっているものや、蓋および、手浴桶の上部に蒸気口としていくつかの穴（お湯の温度が急激に下がらない程度の開口部。スチーム効果等を
期待できる。）があるもの等も含むものである。
【００１５】
また、手を挿入するための開口部、左手用開口部および右手用開口部と、手首支え部、左手用手首支え部および右手用手首支え部は、前面、側面、上面など、手浴桶のどの位置に備えても、本発明の範囲内であり、これらを備えることや、指先から手首まで十分につかる深さを有することにより、課題である安定した楽な姿勢での手浴を可能にするものである。
【００１６】
両手用手浴桶は、指先から両手首をそれぞれ挿入させる二つの開口部、左手用開口部および右手用開口部と、その二つの開口部に挿入された手首、腕をそれぞれ支える左手用手首支え部および右手用手首支え部とを具備し、指先から手首まで十分につかる深さをもち、二つ穴があるものもある。
【００１７】
前記、両手用手浴桶は、手を挿入させる開口部は右手用と左手用の二つを備え、それ以外の穴（開口部。）はないとしている。つまり、上部は塞がっている容器で、保温性を高めることを目的としており、手浴用のお湯を入れる際には、左手用開口部および右手用開口部から行うものである。（図１参照。）これは両手を同時に入浴することを目的とする手浴桶であり、左手用開口部および右手用開口部の下部にはそれぞれ左手用手首支え部および右手用手首支え部が具備されており、これもまた手浴桶の形状は様々である。
【００１８】
前記、両手用手浴桶に、いずれかの開口部よりお湯を入れ、左手用開口部および右手用開口部へ手をそれぞれ挿入し、左手用手首支え部および右手用手首支え部で腕を支え、浴槽空間部に満たされたお湯で入浴を行うものである。この両手用手浴桶は、入浴する際に浴槽空間部内でお互いの手を揉み解すことができるという利点をもつ。
【００１９】
また、左手用手首支え部および右手用手首支え部や、左手用開口部および右手用開口部は、手浴桶の、前面、側面、上面など、手浴桶のどの位置に備えてもよい。側面に備えたものは、テーブルの上などに置き、両肘をテーブルに付けるようにして入浴しても安定した楽な姿勢となりやすく、手浴桶を胸部に近づけて置くことができるため、安定感もましやすい特徴をもつ。
【００２０】
また、左手用開口部および右手用開口部を上面に備えた手浴桶は、上部開口部から前方（使用者の体側。）に向かって手浴桶本体上部を窪ませることにより備えた、左手用手首支え部および右手用手首支え部を使用すると、肘付近まで腕を支えられる為、これもまた安定した楽な姿勢を維持しやすい形状と言える。（図２１参照。）
【００２１】
請求項２の手浴桶は、前記手浴桶が、手浴桶本体と、前記手浴桶本体に開閉可能に取り付けられた蓋とから構成され、前記開口部が、前記手浴桶本体、もしくは手浴桶本体と蓋との間に設けられており、手首支え部が、前記手浴桶本体に備えられていることを特徴とする手浴桶である。
【００２２】
上記、開閉可能な蓋を設けた手浴桶は、前記開口部が、前記手浴桶本体（蓋は図示していないが、図１のような位置の開口部。）、もしくは手浴桶本体と蓋との間（図２の位置の開口部。）に設けられている。蓋を設けるとこにより、保温性を高めるとともに、使用後に本体を洗浄する際や、水分の拭き取りや乾燥させる等、取り扱いの利便性も兼ね備えた手浴桶を提供することができる。
【００２３】
また、蓋は、接続せずに開閉（被せるだけの蓋。）させるものや、一部を接続し、その対面側より開閉するもの等、様々なしようの蓋を含むものである。（例としては、後方を蓋接続部によって接続し、前方から開閉するものがあげられる。）（図４参照。）
【００２４】
請求項３の手浴桶は、前記蓋が、使用開始時に開き、使用中及び不使用時には閉じるよう開閉可能に構成され、開いた状態で蓋を保持する保持機構をさらに設け、使用時に手首を挿入することによって前記保持機構を解除して蓋が閉じるよう構成されている手浴桶である。
【００２５】
この請求項３の手浴桶によれば、使用前には蓋が保持機構（蓋支え板。）により支えられ、使用時に手を挿入した際、保持機構が外れ、入浴中には蓋が閉じた状態になるものである。この保持機構を設けた手浴桶は、例として図４、図１４、図１９のように手浴桶本体に蓋支え板が接続されたものや、図２５、図２６の蓋に支え板が接続されたもの等が上げられる。
【００２６】
請求項４の手浴桶は、前記開口部に、ゴム挿通部をさらに設けている手浴桶である。
【００２７】
この請求項４の手浴桶によれば、桶の形状に関わらず、開口部にゴム挿通部として薄く伸縮性のあるゴム素材（シリコーン等。）をドーナツ状や三日月形にしたもの等で設けることにより、開口部の隙間を埋め、保温効果を高めるようにしたものである。
【００２８】
請求項５の手浴桶は、前記手首支え部が内部に空洞を有し、該空洞内に手浴桶内の湯が入るようつながっている手浴桶である。
【００２９】
この請求項５の手浴桶によれば、手首支え部が内部に空洞を有しており、その空洞自体が浴槽空間部であり、その空間にお湯を入れて使用することができる手浴桶である。（図２１参照。）
開口部は本体の上部に設けられ、そこからお湯を注ぎ、手首支え部に腕を置き、手を開口部に挿入させる。
この手浴桶の素材の選択によって、本体（手首支え部。）から熱が伝わり、肘付近までの、腕を含む広範囲を暖めることも特徴としてあげられる。
【発明の効果】
【００３０】
本発明は、従来の洗面器ではなしえなかった楽な姿勢での手浴を、手を挿入するための開口部２０、左手用開口部５および右手用開口部５ａと、手首支え部２１、左手用手首支え部６および右手用手首支え部６ａを備えた容器を使用することで、洗面器より安定した手浴を可能にし、片手用の手浴桶５０は片手で開口部２０をある程度ふさぎ、両手用の手浴桶５０は二つの開口部２０に、両手を挿入させてある程度ふさいで使用する。（ゴム挿通部を設けることによりさらに湯温の維持が期待できる。）洗面器のように上部に広い開口部２０がない為、冷めやすかったお湯の保温効果も高めることができる。また、蓋２を接続し、使用時に蓋２を自然に閉じることもできるものである。
【図面の簡単な説明】
【００３１】
【図１】両手用手浴桶の斜視図である。
【図２】蓋を支えるタイプの手浴桶本体と蓋の正面図である。
【図３】図２のＡ−Ａ線における縦断面図である。
【図４】図２のＡ−Ａ線における縦断面の蓋が開いている状態の図である。
【図５】蓋支え板の正面図である。
【図６】支え板固定具、支え板取り付け部を主に示す斜視図である。
【図７】蓋内側の支え板はめ込み部を示す斜視図である。
【図８】蓋を支えるタイプの手浴桶の水位ラインを示した斜視図である。
【図９】本発明使用時（過程）の力を抜いた手首を示す図である。
【図１０】従来洗面器での手浴の姿勢を示す図である。
【図１１】従来洗面器使用中（過程）手首を上に反らした図である。
【図１２】蓋を支えるタイプの手浴桶後面、底面、蓋接続部を主に示す斜視図である。
【図１３】蓋を支えるタイプの手浴桶の平面図である。
【図１４】図１３のＢ−Ｂ線における手浴桶本体の（蓋なし）縦断面図である。
【図１５】高さ調節機能がついた手浴桶の一例を示す斜視図である。
【図１６】高さ調節機能がついた手浴桶の側面図である。
【図１７】高さ調節機能がついた手浴桶の正面図である。
【図１８】片側高さ調節後を示す、図１６のＣ−Ｃ線における縦断面図である。
【図１９】本発明の一実施例を示す、図２のＡ−Ａ線における縦断面図である。
【図２０】側面に左右の開口部を付けた、本発明一例の、一実施例を示す正面図である。
【図２１】本体上部に両手を入れる開口部を付けた、本発明一例を示す平面図（ａ）と斜視図（ｂ）である。
【図２２】右手用と左手用の本体を別にした、本発明一例の斜視図である。
【図２３】ゴム挿通部の斜視図とゴム挿通部を設けた手浴桶の斜視図とゴム挿通部に手を通した図である。
【図２４】（ａ）は蓋を支えるタイプに、ゴム挿通部を設けた蓋が閉じた状態の正面図。（ｂ）は蓋が開いた状態の正面図である。
【図２５】蓋支え板を蓋側に設け、蓋にゴム挿通部を設けた両手用手浴桶の斜視図である。
【図２６】蓋支え板を蓋側に設けた手浴桶の、図２５のＤ−Ｄ線における縦断面図である。
【発明を実施するための形態】
【００３２】
以下、本発明を添付図面に示す実施例に基づいて一例を説明する。なお本文中に用いる前方とは、使用者が挿入させた掌側を前方とするものである。
【００３３】
図１は、蓋２等はなく、開口部２０は左手用と右手用の二つのみ備えた手浴桶５０を示す斜視図であり、図２は、蓋２を支えるタイプの手浴桶５０であり、手浴桶本体１と蓋２を正面からみた外観図をしめしてある。図３は、図２のＡ−Ａ線における縦断面図であり、図４は、図２のＡ−Ａ線における縦断面の蓋２が開いている状態の図であり、図５は、蓋支え板４の正面図である。また、手浴桶５０の外観側面図は、図８や図１２によって容易に把握できるものとして、省略したものである。なお、外観側面は左右対称に表れる。
【００３４】
図６は、支え板固定具外側用７および支え板固定具内側用７ａや、支え板取り付け部９を主に示す、蓋２を外した状態の斜視図であり、図７は、蓋内側２ｄの支え板はめ込み部３を示す斜視図であり、図８は、水位ライン１０を示した斜視図であり、図９は、本発明を使用していると過程する際の、力を抜いた手首１７を示す図であり、図１０は、従来洗面器での手浴の姿勢を示す図であり、図１１は、従来洗面器を使用していると過程する際の手首１７を上に反らした図であり、図１２は、蓋２を支えるタイプの本体後面１ｄ、本体底面１ｃ、蓋接続部１１を主に示す斜視図である。
【００３５】
図１３は、蓋２を支えるタイプの手浴桶５０の平面図であり、図１４は、図１３のＢ−Ｂ線における手浴桶本体１のみの縦断面図であり、図１５は、高さ調節機能がついた手浴桶５０の一例を示す斜視図であり、図１６は、高さ調節機能がついた手浴桶５０の左側面図であり、図１７は、高さ調節機能がついた手浴桶５０の正面図であり、図１８は、片側だけを、最も高くなるように調節し、もう片方は、高さ調節板１２を調節板格納部１３へと格納し、もっとも低い状態に調節した状態を示した、図１６のＣ−Ｃ線における縦断面図であり、図１９は、本発明の一実施例を示す、図２のＡ−Ａ線における縦断面図である。
【００３６】
図２０は、使用する手浴桶５０に向かって側面に左手用開口部５および右手用開口部５ａを付けた、本発明一例の、一実施例を示す正面図であり、図２１は、本体上部１ｄに両手をそれぞれ挿入する左手用開口部５および右手用開口部５ａを付けた、本発明一例を示す斜視図であり、図２２は、右手用と左手用の手浴桶５０を別にした、本発明一例の斜視図であり、図２３は、ゴム挿通部６０を示した図で、（ａ）はゴム挿通部６０の斜視図、（ｂ）はゴム挿通部６０を取り付けた手浴桶５０の図であり、（ｃ）はゴム挿通部６０に手を挿入した図であり、図２４の（ａ）は、蓋２を支えるタイプに、ゴム挿通部６０を設けた蓋２が閉じた状態の正面図であり、（ｂ）は、蓋２が開いた状態の正面図である。
【００３７】
図２５は、蓋支え板４を蓋２側に設け、蓋２にゴム挿通部６０を設けた蓋２を支えるタイプの手浴桶５０の斜視図であり、図２６は、蓋支え板４を蓋２側に設けた手浴桶５０の、図２５のＤ−Ｄ線における縦断面図で、（ａ）は、蓋２が開いた状態、（ｂ）は、閉じた状態を示した図である。
【００３８】
手浴桶５０の素材は、一例としては合成樹脂などで形成したり、その他、お湯の温度を保ちやすい素材を用いて形成する。図２２は、片手用の手浴桶５０を示した図である。この図では、蓋２はなく、本体上部１ｄが同素材などでおおわれている物を図示している。この手浴桶５０をテーブル等に置き、お湯を開口部２０より注ぎ、手を挿入して入浴を行う。
【００３９】
手浴桶５０の深さは、手首支え部２１や、左手用手首支え部６および右手用手首支え部６ａに腕を置いた状態（手首１７より上の肘側を置き、深く入浴することも含む。また、浴槽空間部１８がやや浅く、手首１７の一部しかつからない深さの物も、一例として含む。）で、浴槽空間部１８で自然に力を抜いたままでの入浴（図９、図１９参照。）ができる深さであることが理想である。（手を開き、手指を伸展させた状態や握られた状態、その他の状態も含む。）
【００４０】
開口部２０や、左手用開口部５および右手用開口部５ａは、横に長く、縦に短い楕円形等で備えることが好ましい。あくまでも目安であるが、長辺半径約６ｃｍ、短辺半径約３ｃｍ程で備える。その他、手を挿通しやすく、かつ手首１７を置きやすい負担のかかりにくい形状がよい。
【００４１】
手浴桶５０の浴槽空間部１８にお湯を入れる際、手を入れた状態で、お湯が溢れない、かつ十分な量を個人的に把握してもらう為に、図８に示すお湯の量の目安になる水位ライン１０を設けてもよい。
【００４２】
左手用手首支え部６および右手用手首支え部６ａを、手浴桶５０の左右側面に取り付け、その上部に、蓋２の開閉に関わらず手を挿通することができるサイズの、左手用開口部５および右手用開口部５ａを設けて、両サイドから手を挿入させて入浴するタイプがあってもよい。その際、手浴桶５０の形を横長に形成したり、深さをやや浅めにする等して調整するなどの、工夫、改良してもよい。（図２０参照。）また、このように蓋支え板４を取り付けるのが困難な形状なら取り付けず、蓋２は必要であれば、接続しないタイプのフタを備えるとよい。開閉は浴槽空間部１８にお湯を注ぐ際などに行い、手を挿入し入浴する。  
【００４３】
図２は、蓋２を支えるタイプの手浴桶５０の外観斜視図をしめしてある。この図のように左手用開口部５、右手用開口部５ａを前面に付けたものは、左手用手首支え部６および右手用手首支え部６ａを外側にハの字のようにやや開いた状態で取り付けておき、前方に向かって少し斜め上に傾斜させて備えることで、より楽な姿勢で手浴ができる。（一例。）
【００４４】
上記、左手用手首支え部６および右手用手首支え部６ａは斜め上に傾斜しているとあるが、傾斜の角度や、二つの手首支え部の長さなどは、手浴桶５０の大きさにあわせる等、大きさや長さ、角度などは、個人により一定には定まらないため、いくつかのサイズを用意してもよい。また、前方に向かって下に傾斜させたり、傾斜させないものがあってもよく、左手用手首支え部６および右手用手首支え部６ａを手浴桶５０の内側（浴槽空間部１８側。）に突き出すように備えてもよい。（図２０の手首支え部参照。）なお、これらのことは、手首支え部２１でも同じことが言えるものである。
【００４５】
また、左手用手首支え部６および右手用手首支え部６ａは、手浴桶５０のサイズを小さめに用意した場合、前面に付けると、手浴中の両手がぶつかるなどして狭くなることも考えられるため、前面角部１９付近に取り付けてもよい。
【００４６】
図２、３、４、８、１２、１３、１４は、使用前に蓋支え板４で蓋２を支えておき、入浴する際に蓋２が閉じる仕組みの手浴桶５０（蓋２を支えるタイプ。）の図である。このタイプの手浴桶５０は、蓋内側２ｄ上部に細めの筒状などで突起を横に二本備え、凹凸を付けてあり、そこに蓋支え板４をはめ込み、準備完了となる。また、前方より開閉するため、後方は蓋接続部１１によって接続されている。
また、図２５、２６は、蓋２側に蓋支え板４が備えられており、手浴桶本体１内側の左右にそれぞれ設けたステー２２によって蓋支え板４及び蓋２を支え準備完了となる。
【００４７】
上記、蓋２を支えるタイプの手浴桶５０の、左手用開口部５および右手用開口部５ａは、上半分が蓋２から、下半分が手浴桶本体１からと、半分の開口部により形成されるものである。
蓋２が閉じた状態でも、大体の人が手を挿通することができる大きさで備えておけば、上部開口部８の開閉により、蓋２が閉まる際、強く挟まれることをさけることができる。
また、蓋２を支えるタイプは、蓋２に三日月形のゴム挿通部６０を設けることで、お湯の温度を保ちやすくすることもできる。
【００４８】
図８は、手浴桶本体１と蓋２を斜めに上から見た図で、蓋２が開いた状態を示した図である。
この左手用手首支え部６および右手用手首支え部６ａは、左手用開口部５および右手用開口部５ａの下に供えてあり、それぞれの開口部に向かって挿入された手首１７を支え、浴槽空間部１８へ十分に手を入れて手浴を行なうが、その際、手首１７の力や肩の力を抜き、できるだけ自然なかたちを求めると、図９のような指先１６を下に向けた状態になる。（実施例図１９参照。）
【００４９】
蓋２を支えるタイプの手浴桶５０を実施するにあたって、まず手浴桶本体１に水位ライン１０を目安にお湯を入れ、蓋支え板４を支え板はめ込み部３にはめ込んでおき、左手用開口部５および右手用開口部５ａへ向かって手を挿入する。その際、予めはめ込んでいた（もしくはステーにより支えていた）蓋支え板４の左手用支え板網部４ａおよび右手用支え板網部４ｂに指先１６でふれるようにし、そのまま奥へと蓋支え板４を押し込んでいくことで、蓋２が閉じ、手浴を行う。
【００５０】
蓋２が閉じる際、勢いよく閉じることをさけるため、蓋接続部１１で摩擦抵抗をつけられるようにし、蓋２の閉じ方を緩やかにすることが望ましい。その他、ステー２２に支えられた蓋支え板４の縦ラインの中央付近にヒンジを設け、奥側に折れ曲がるよう形成し、摩擦抵抗をつけることで緩やかに閉じることができる。
【００５１】
蓋支え板４がそのままの板である場合、押し込んだ際、水の抵抗により沈みにくくなる為、できるだけ水の抵抗をなくすことを目的とし棒状にすることを考えた。が、全て棒状にしてしまうと、挿入された指先１６で押し込みにくくなってしまう。それをさける為、左手用支え板網部４ａおよび右手用支え板網部４ｂを設けてある。
【００５２】
図６は、支え板固定具外側用７および支え板固定具内側用７ａと、支え板取り付け部９を主に示した図である。
蓋支え板４が手浴桶本体１に接続されたタイプのものは、（図２、図３、図４参照。）手浴桶本体１にそれぞれ二箇所、支え板固定具外側用７および支え板固定具内側用７ａにより、手浴桶本体１側の支え板取り付け部９に蓋支え板４の支え板先端部４ｃが固定されているため、両手の指先１６で押し込まれると、網がついている側が水面に倒れていき、図４の状態から、図３の位置へと蓋支え板４が移動する。
【００５３】
蓋支え板４が、支え板はめ込み部３から外されると、蓋前面２ａ側より蓋２が閉まっていき、上部開口部８は閉じるため、図２や、図３のように蓋２が閉じた状態になる。そのまま浴槽空間部１８へ両手を挿入した状態（図１９参照。）で手浴を行なう。
また入浴後には、浴槽空間部１８からそのまま手を上方へと上げることにより、上部開口部８、蓋２を開けることもでき、左手用開口部５および右手用開口部５ａのサイズによっては閉じたまま左手用開口部５および右手用開口部５ａより手を抜き出すこともできる。
【００５４】
以上、本発明を実施例に基づき説明したが、本発明は上記実施例に限定されるものではなく、本発明の趣旨を剥脱しない範囲内で色々な改良、変形が可能であることは容易に推察できるものである。
【００５５】
例えば、後方を蓋接続部１１により接続したものも、本体と蓋２とを分解できるように設計することにより、使用後の手入れのしやすさにも効果を奏する。
【００５６】
例えば、手浴桶５０の図示例では、ほぼ長方形で示してあるが、両サイドを丸くして楕円形にしたり、手浴桶本体１の本体底面１ｃにかけて幅を広げて安定感をだす等、外観はこだわらない。また、本体底面１ｃに、滑り止めとして数箇所ゴム素材等（図示例なし。）を取り付けてもよい。
【００５７】
また、上部開口部８は、手浴桶本体１と蓋２の先端に凹凸を付けてかみ合うように備え、温度を保ちやすく冷めにくい形状にしたり、シリコーン素材等のやわらかい素材を上部開口部８に沿って具備し、蓋２開閉時の指先１６や手首１７などの挟みこみによる衝撃を軽減するなどの工夫（図示例なし。）を施してもよい。
【００５８】
手浴桶５０の一部に電気や、その他の熱源を利用し、お湯の温度を維持したり、再度温度を上げることができるタイプがあってもよい。また、手浴桶５０や、手浴桶本体１および、蓋２自体が、お湯の温度を維持しやすい素材で作る事が望ましい。
【００５９】
図１５、図１６、図１７、図１８に示した手浴桶５０は、高さ調節機能付のもの（一例。）だが、これ以外の別の方法や形状の高さ調節機能を施してもよい。また、必要に応じてこのような機能を有した手浴桶があってもよいと考えるもので、必ずしも高さ調節機能が必要なわけではない。
【００６０】
手浴桶５０の一部に、お湯の温度を把握できるように温度計を具備したタイプがあってもよい。また、手浴桶５０の素材を選択する際、クリア素材や、半透明な物を使用することにより、容易にお湯の水位を確認することができる。
【００６１】
その他、本体（お湯を入れる容器。上部が塞がった物や開口したものも含む。）のいずれかの一部分に、開口部２０、左手用開口部５および右手用開口部５ａを設けたもの。腕を支えやすい位置に、手首支え部２１、左手用手首支え部６および右手用手首支え部６ａを具備した手浴をする容器が本発明の手浴桶５０である。
【符号の説明】
【００６２】
１    手浴桶本体
１ａ  本体前面
１ｂ  本体後面
１ｃ  本体底面
１ｄ  本体上部
２    蓋
２ａ  蓋前面
２ｂ  蓋後面
２ｃ  蓋上部
２ｄ  蓋内側
３    支え板はめ込み部
４    蓋支え板
４ａ  左手用支え板網部
４ｂ  右手用支え板網部
４ｃ  支え板先端部
５    左手用開口部
５ａ  右手用開口部
６    左手用手首支え部
６ａ  右手用手首支え部
７    支え板固定具外側用
７ａ  支え板固定具内側用
８    上部開口部
９    支え板取付部
１０  水位ライン
１１  蓋接続部
１２  高さ調節板
１３  調節板格納部
１４  調節ネジ
１５  調節ネジ穴
１６  指先
１７  手首
１８  浴槽空間部
１９  前面角部
２０  開口部
２１  手首支え部
２２  ステー
５０  手浴桶
６０  ゴム挿通部
【図１】
2011056241.tif 000003
【図２】
2011056241.tif 000004
【図３】
2011056241.tif 000005
【図４】
2011056241.tif 000006
【図５】
2011056241.tif 000007
【図６】
2011056241.tif 000008
【図７】
2011056241.tif 000009
【図８】
2011056241.tif 000010
【図９】
2011056241.tif 000011
【図１０】
2011056241.tif 000012
【図１１】
2011056241.tif 000013
【図１２】
2011056241.tif 000014
【図１３】
2011056241.tif 000015
【図１４】
2011056241.tif 000016
【図１５】
2011056241.tif 000017
【図１６】
2011056241.tif 000018
【図１７】
2011056241.tif 000019
【図１８】
2011056241.tif 000020
【図１９】
2011056241.tif 000021
【図２０】
2011056241.tif 000022
【図２１】
2011056241.tif 000023
【図２２】
2011056241.tif 000024
【図２３】
2011056241.tif 000025
【図２４】
2011056241.tif 000026
【図２５】
2011056241.tif 000027
【図２６】
2011056241.tif 000028
【手続補正書】
【提出日】平成22年9月13日(2010.9.13)
【手続補正１】
【補正対象書類名】特許請求の範囲
【補正対象項目名】全文
【補正方法】変更
【補正の内容】
【特許請求の範囲】
【請求項１】
指先を下に向け、手指を伸展させた状態で指先から手首まで十分につかる深さを有する、手浴用のお湯を入れる手浴桶であって、前記手浴桶が、該手浴桶の両そく面に設けられた指先から手首まで挿入することができる程度の大きさの開口部と、前記開口部に挿入された手首及び腕を支える、上面が凹状に湾曲形成された手首支え部とを具備している手浴桶。
【請求項２】
指先を下に向け、手指を伸展させた状態で指先から手首まで十分につかる深さを有する、手浴用のお湯を入れる手浴桶であって、該手浴桶の面に設けられた指先から手首まで挿入することができる程度の大きさの開口部と、前記開口部に挿入された手首及び腕を支える、上面が凹状に湾曲形成された手首支え部とを具備し、前記手浴桶が前記手首支え部を含めてコの字型の形状を有し、
前記手首支え部が内部に空洞を有し、該空洞自体が手浴桶の浴槽空間部であり、前記手浴桶内の湯が入るよう前記手浴桶とつながっていることを特徴とする手浴桶。
【請求項３】
指先を下に向け、手指を伸展させた状態で指先から手首まで十分につかる深さを有する、手浴用のお湯を入れる手浴桶であって、前記手浴桶が、手浴桶本体と、前記手浴桶本体に開閉可能に取り付けられた蓋とから構成され、
指先から手首まで挿入することができる程度の大きさの開口部が、前記手浴桶本体、または手浴桶本体と蓋との間に設けられており、
前記開口部に指先から手首まで挿入した際、手首や腕を支えることができるよう、上面が凹状に湾曲形成された手首支え部を、前記手浴桶本体に設け、
前記蓋が開いた状態で蓋を保持することができるよう、前記手浴桶の内側に具備した蓋支え板で蓋の内側を支えて保持するか、又は蓋の内側に設けた蓋支え板を前記手浴桶の内側に具備したステーで支えて蓋を保持できるよう形成された保持機構が設けられ、
前記蓋支え板は水の抵抗により沈みにくくなることをさける為棒状及び網部により形成し、使用前に蓋を保持機構により保持し、使用時に手を挿入する際前記蓋支え部の網部を指先で押し込むことにより前記保持機構を解除して蓋が閉じるよう構成されている手浴桶。
【手続補正２】
【補正対象書類名】明細書
【補正対象項目名】０００９
【補正方法】変更
【補正の内容】
【０００９】
上記課題を解決するために請求項１の手浴桶は、指先を下に向け、手指を伸展させた状態で指先から手首まで十分につかる深さを有する、手浴用のお湯を入れる手浴桶であって、前記手浴桶が、該手浴桶の両そく面に設けられた指先から手首まで挿入することができる程度の大きさの開口部と、前記開口部に挿入された手首及び腕を支える上面が凹状に湾曲形成された手首支え部とを具備している。
【手続補正３】
【補正対象書類名】明細書
【補正対象項目名】００１０
【補正方法】変更
【補正の内容】
【００１０】
この請求項１の手浴桶によれば、手浴を目的とするお湯を入れる手浴桶は、その容器の形状に関わらず、隣同士の指を接触させるように揃え、指先から肘までをほぼ水平に保った状態で、容器に指先から手首まで挿入することができる程度の大きさの穴（洗面器の開口部のように大きな物ではなく、大体の大人の手が挿入できない程小さくない開口部。また、手浴桶の面に部分的に設ける、例えば上面に開口部を設けた場合、上面全てが開口部ではなく、上面の部分的に、手が通る程度の開口部を設けたものである。）（補正後は、両側面に部分的に開口部を設ける。）があり、その穴へと挿入された手首、腕を支えるために、穴の下部に手首支え部を具備した容器であることがわかる。（図２０参照。）
【手続補正４】
【補正対象書類名】明細書
【補正対象項目名】００１１
【補正方法】変更
【補正の内容】
【００１１】
この手浴桶は保温効果も重要なため、密閉容器であることが好ましく、開口部には手を挿入して、ある程度塞いで使用するため、ほぼ密閉となり温度を維持しやすい。また、開口部や、左手用開口部、右手用開口部に、シリコーン等、伸縮性のあるやわらかいゴム素材で、薄いドーナツ状のようにしてゴム挿通部（図２３参照。）を備えることで、開口部の隙間を塞ぎ、お湯の温度を維持しやすくすることができる。
【手続補正５】
【補正対象書類名】明細書
【補正対象項目名】００１２
【補正方法】変更
【補正の内容】
【００１２】
また、蓋が接続されたタイプには蓋側に三日月形に形成したゴム挿通部を備えると、効率よく保温効果を付随することができる。
その他、前記手首支え部で腕を支え、指先を下に向け、手指を伸展させた状態でも指先から手首まで十分につかる深さを有することにより、課題である手首を上に反り上げた状態を回避し、力を抜き指先を下に向けた楽な姿勢での手浴を可能とするものである。
（ドーナツ形や三日月形に形成したゴム挿通部は、１〜３全ての請求項に記載の開口部に接続可能なものである。）
【手続補正６】
【補正対象書類名】明細書
【補正対象項目名】００１３
【補正方法】変更
【補正の内容】
【００１３】
この手浴桶に、いずれかの開口部よりお湯を入れ、手を挿入するための開口部へ片手、もしくは両手を挿入し、手首支え部で腕を支え、浴槽空間部に満たされたお湯で入浴を行うものである。手浴桶を置く場所は、床や、テーブルの上など、その他置き易い所であれば場所は選ばない。
【手続補正７】
【補正対象書類名】明細書
【補正対象項目名】００１４
【補正方法】変更
【補正の内容】
【００１４】
また、左手用手首支え部および右手用手首支え部や、左手用開口部および右手用開口部を側面に備えたものは、テーブルの上などに置き、両肘をテーブルに付けるようにして入浴しても安定した楽な姿勢となりやすく、手浴桶を胸部に近づけて置くことができるため、安定感もましやすい特徴をもつ。
【手続補正８】
【補正対象書類名】明細書
【補正対象項目名】００１５
【補正方法】変更
【補正の内容】
【００１５】
請求項２は、指先を下に向け、手指を伸展させた状態で指先から手首まで十分につかる深さを有する、手浴用のお湯を入れる手浴桶であって、前記手浴桶がコの字型の形状を有し、該手浴桶の面に設けられた指先から手首まで挿入することができる程度の大きさの開口部と、前記開口部に挿入された手首及び腕を支える、上面が凹状に湾曲形成された手首支え部とを具備し、
前記手首支え部が内部に空洞を有し、該空洞自体が手浴桶の浴槽空間部であり、前記手浴桶内の湯が入るよう前記手浴桶とつながっている。
【手続補正９】
【補正対象書類名】明細書
【補正対象項目名】００１６
【補正方法】変更
【補正の内容】
【００１６】
請求項２の手浴桶によれば、コの字型の形状を有する手浴桶で、開口部を面に備え、その開口部に手を挿入して使用する際、腕を支えることができるよう手首支え部を具備しており、肘付近まで腕を支えられる為、これもまた安定した楽な姿勢を維持しやすい形状と言える。
【手続補正１０】
【補正対象書類名】明細書
【補正対象項目名】００１７
【補正方法】変更
【補正の内容】
【００１７】
手首支え部が内部に空洞を有しており、その空洞自体が浴槽空間部であり、その空間にお湯を入れて使用することができる手浴桶である。
【手続補正１１】
【補正対象書類名】明細書
【補正対象項目名】００１８
【補正方法】変更
【補正の内容】
【００１８】
開口部は本体の上面や側面に設けられ、そこからお湯を注ぎ、手首支え部に腕を置き、手を開口部に挿入させる。
【手続補正１２】
【補正対象書類名】明細書
【補正対象項目名】００１９
【補正方法】変更
【補正の内容】
【００１９】
この手浴桶の素材の選択によって、本体（手首支え部。）から熱が伝わり、肘付近までの、腕を含む広範囲を温めることも特徴としてあげられる。
【手続補正１３】
【補正対象書類名】明細書
【補正対象項目名】００２０
【補正方法】変更
【補正の内容】
【００２０】
請求項３は、指先を下に向け、手指を伸展させた状態で指先から手首まで十分につかる深さを有する、手浴用のお湯を入れる手浴桶であって、前記手浴桶が、手浴桶本体と、前記手浴桶本体に開閉可能に取り付けられた蓋とから構成され、
指先から手首まで挿入することができる程度の大きさの開口部が、前記手浴桶本体、または手浴桶本体と蓋との間に設けられており、
前記開口部に指先から手首まで挿入した際、手首や腕を支えることができるよう、上面が凹状に湾曲形成された手首支え部を、前記手浴桶本体に設け、
前記蓋が開いた状態で蓋を保持することができるよう、前記手浴桶の内側に具備した蓋支え板で蓋の内側を支えて保持するか、又は蓋の内側に設けた蓋支え板を前記手浴桶の内側に具備したステーで支えて蓋を保持できるよう形成された保持機構が設けられ、
前記蓋支え板は水の抵抗により沈みにくくなることをさける為棒状及び網部により形成し、使用前に蓋を保持機構により保持し、使用時に手を挿入する際前記蓋支え部の網部を指先で押し込むことにより前記保持機構を解除して蓋が閉じるよう構成されている。
【手続補正１４】
【補正対象書類名】明細書
【補正対象項目名】００２１
【補正方法】変更
【補正の内容】
【００２１】
この請求項３の手浴桶によれば、使用前には蓋が保持機構（蓋支え板。）により支えられ、使用時に手を挿入した際、保持機構が外れ、入浴中には蓋が閉じた状態になるものである。
【手続補正１５】
【補正対象書類名】明細書
【補正対象項目名】００２２
【補正方法】変更
【補正の内容】
【００２２】
この保持機構を設けた手浴桶は、例として図４、図１４、図１９のように手浴桶本体に蓋支え板が接続されたものや、図２５、図２６のように蓋に蓋支え板が接続されたもの等があげられる。
【手続補正１６】
【補正対象書類名】明細書
【補正対象項目名】００２３
【補正方法】変更
【補正の内容】
【００２３】
請求項１、２の手浴桶は、蓋を具備した物と、蓋を具備していない物とがある。
蓋を具備していない両手用の手浴桶は、手を挿入させる開口部は右手用と左手用の二つを備え、それ以外の穴（開口部。）はないとしている。つまり、上部は塞がっている容器で、保温性を高めることを目的としており、手浴用のお湯を入れる際には、左手用開口部および右手用開口部から行うものである。これは両手を同時に入浴することを目的とする手浴桶であり、左手用開口部および右手用開口部の下部にはそれぞれ左手用手首支え部および右手用手首支え部が具備されており、これもまた手浴桶の形状は様々である。
【手続補正１７】
【補正対象書類名】明細書
【補正対象項目名】００２４
【補正方法】変更
【補正の内容】
【００２４】
前記、両手用手浴桶に、いずれかの開口部よりお湯を入れ、左手用開口部および右手用開口部へ手をそれぞれ挿入し、左手用手首支え部および右手用手首支え部で腕を支え、浴槽空間部に満たされたお湯で入浴を行うものである。この両手用手浴桶は、入浴する際に浴槽空間部内でお互いの手を揉み解すことができるという利点をもつ。
【手続補正１８】
【補正対象書類名】明細書
【補正対象項目名】００２５
【補正方法】変更
【補正の内容】
【００２５】
その他、請求項１、２、３、の手浴桶は、開口部の数を限定するものではない為、開閉可能な蓋があるもの（図２０参照。）や、手を挿入するための開口部以外の開口部がなく、手浴桶の上部が同素材等でおおわれているものや、手浴桶の上部が洗面器などのように開いたままの開口部になっているものや、蓋および、手浴桶の上部に蒸気口としていくつかの穴（お湯の温度が急激に下がらない程度の開口部。スチーム効果等を
期待できる。）があるもの等も含むものである。
【手続補正１９】
【補正対象書類名】明細書
【補正対象項目名】００２６
【補正方法】変更
【補正の内容】
【００２６】
請求項１、２、３の、開閉可能な蓋を設けた手浴桶は、前記開口部が、前記手浴桶本体、もしくは手浴桶本体と蓋との間に設けられている。蓋を設けることにより、保温性を高めるとともに、使用後に本体を洗浄する際や、水分の拭き取りや乾燥させる等、取り扱いの利便性も兼ね備えた手浴桶を提供することができる。
【手続補正２０】
【補正対象書類名】明細書
【補正対象項目名】００２７
【補正方法】変更
【補正の内容】
【００２７】
また、蓋は、接続せずに開閉（被せるだけの蓋。）させるものや、一部を接続し、その対面側より開閉するもの等、様々なしようの蓋を含むものである。（例としては、後方を蓋接続部によって接続し、前方から開閉するものがあげられる。）（図４参照。）
【手続補正２１】
【補正対象書類名】明細書
【補正対象項目名】００２８
【補正方法】変更
【補正の内容】
【００２８】
また、請求項３の手浴桶は、片手のみの開口部、片手のみの手首支え部を備えた手浴桶（右手用と左手用との二つセットで使用する。）や、一つの容器に両手用の開口部および両手用の手首支え部を設けた手浴桶、その他、二名以上で同時に入浴をすることができる、人数分の両手用の開口部と手首支え部を設けた手浴桶なども含むものである。片手用の手浴桶の利点は、片方ずつに分かれた本体を、それぞれ置き易い位置に置くことができるものだが、デメリットとしては使用後の手入れをそれぞれ行わなければならないことがあげられる。
【手続補正２２】
【補正対象書類名】明細書
【補正対象項目名】００２９
【補正方法】変更
【補正の内容】
【００２９】
請求項２の手浴桶は、手を挿入するための開口部、左手用開口部および右手用開口部と、手首支え部、左手用手首支え部および右手用手首支え部は、上面、前面、側面など、手浴桶のどの位置に備えても、本発明の範囲内であり、請求項３の手浴桶は、手を挿入するための開口部や手首支え部は、前面、側面や、手浴桶の角付近に設けてもよいものである。
【手続補正書】
【提出日】平成23年2月2日(2011.2.2)
【手続補正１】
【補正対象書類名】特許請求の範囲
【補正対象項目名】全文
【補正方法】変更
【補正の内容】
【特許請求の範囲】
【請求項１】
指先を下に向け、手指を伸展させた状態で指先から手首まで十分につかる深さを有する、手浴用のお湯を入れる手浴桶であって、該手浴桶の面に設けられた指先から手首まで挿入することができる程度の大きさの開口部と、前記開口部に挿入された手首及び腕を支える、上面が凹状に形成された手首支え部とを具備し、前記手浴桶が前記手首支え部を含めてコの字型の形状を有し、
前記手首支え部が内部に空洞を有し、該空洞自体が手浴桶の浴槽空間部であり、前記手浴桶内の湯が入るよう前記手浴桶とつながっていることを特徴とする手浴桶。
【請求項２】
指先を下に向け、手指を伸展させた状態で指先から手首まで十分につかる深さを有する、手浴用のお湯を入れる手浴桶であって、前記手浴桶が、手浴桶本体と、前記手浴桶本体に開閉可能に取り付けられた蓋とから構成され、
指先から手首まで挿入することができる程度の大きさの開口部が、前記手浴桶本体、または手浴桶本体と蓋との間に設けられており、
上面が凹状に形成された手首支え部を、前記手浴桶本体に設け、
前記蓋が開いた状態で蓋を保持することができるよう、前記手浴桶の内側に具備した蓋支え板で蓋の内側を支えて保持するか、又は蓋の内側に設けた蓋支え板を前記手浴桶の内側に具備したステーで支えて蓋を保持できるよう形成された保持機構が設けられ、
使用前に蓋を保持機構により保持し、使用時に手を挿入する際前記蓋支え板の網部を指先で押し込むことにより前記保持機構を解除して蓋が閉じるよう構成されている手浴桶。